(57)【要約】【課題】  外部器機接続端子口の開閉を行う蓋部材の操作を容易に行うことができ、また閉じ忘れ等を防止することのできる携帯情報通信器機を提供する。【解決手段】  表示部７、操作部及び外部器機接続端子部の外部器機接続端子口１１を備え、かつ前記外部器機接続端子口１１に開閉自在の蓋部材１３を備えてなる携帯情報通信器機であって、器機本体３に前記蓋部材１３をスライド自在に備えて、前記蓋部材１３のスライド部分に、この蓋部材１３のスライド方向に並行な凹凸を呈するガイドライン１９を備え、前記蓋部材１３の開閉を検知するセンサ１５を、前記外部器機接続端子口の部分に備えている。【選択図】  図１
2005072545.tif 000002
【特許請求の範囲】
【請求項１】
表示部、操作部及び外部器機接続端子部の外部器機接続端子口を備え、かつ前記外部器機接続端子口に開閉自在の蓋部材を備えてなる携帯情報通信器機であって、器機本体に前記蓋部材をスライド自在に備えていることを特徴とする携帯情報通信器機。
【請求項２】
請求項１に記載の携帯情報通信器機において、前記蓋部材のスライド部分に、この蓋部材のスライド方向に並行な凹凸を呈するガイドラインを備えていることを特徴とする携帯情報通信器機。
【請求項３】
請求項１叉は２に記載の携帯情報通信器機において、前記蓋部材の開閉を検知するセンサを、前記外部器機接続端子口の部分に備えていることを特徴とする携帯情報通信器機。
【発明の詳細な説明】
【技術分野】
【０００１】  本発明は、例えば携帯電話等のごとき携帯情報通信器機に係り、さらに詳細には、前記携帯情報通信器機における外部器機接続端子部の外部器機接続端子口に備えた蓋構造の改良に関する。
【背景技術】
【０００２】  携帯情報通信器機の一例としての携帯電話１は、図５に示されているように、各種の操作スイッチを有する操作部を備えた本体ケース３に、ヒンジ部５を介して表示部７を備えたサブ本体ケース９を開閉自在に備えた構造が一般的である。【０００３】  そして、各種の外部接続器機と接続する外部接続器機端子部の外部器機接続端子口１１の部分には、この外部器機接続端子口１１内への塵埃等の侵入を防止したり保護するために、開閉自在の蓋部材１３が設けられている。
【特許文献】特開平１１−１４６０４６号公報
【発明の開示】
【発明が解決しようとする課題】
【０００４】  前述のごとき従来の構成においては、蓋部材１３は本体ケース３やサブ本体ケース９から外部へ突出するように開閉され、閉じた状態においては、前記本体ケース３やサブ本体ケース９の表面とほぼ同一表面を呈するように、外部器機接続端子口１１に係合しあって、開き難いという問題がある。【０００５】  また、開いた状態においては、前記本体ケース３やサブ本体ケース９から外部へ突出するように開かれるものであり、時として閉じ忘れたり、閉じ方が不十分だったりした場合、蓋部材１３は外部へ突出したままの状態になり、引っ掛かりを生じて千切れることがあるなどの問題がある。
【課題を解決するための手段】
【０００６】  本発明は、前述のごとき従来の問題を解決するためになされたもので、表示部、操作部及び外部器機接続端子部の外部器機接続端子口を備え、かつ前記外部器機接続端子口に開閉自在の蓋部材を備えてなる携帯情報通信器機であって、器機本体に前記蓋部材をスライド自在に備えていることを特徴とするものである。【０００７】  また、本発明は前記携帯情報通信器機において、前記蓋部材のスライド部分に、この蓋部材のスライド方向に並行な凹凸を呈するガイドラインを備えていることを特徴とするものである。【０００８】  また、本発明は前記携帯情報通信器機において、前記蓋部材の開閉を検知するセンサを、前記外部器機接続端子部の部分に備えていることを特徴とするものである。【０００９】  ところで、本例においての外部器機とは、例えば外部充電器機、イヤホン器機、記録・記憶叉は録音・再生・翻訳等の前記携帯情報通信器機内部に入れて使用する媒体器機、さらにパーソナルコンピュータやモバイル器機等、他の電子器機を一例として説明するものであるが、上記の例の外部器機に限るものではない。
【発明の効果】
【００１０】  本発明によれば、器機本体に対して蓋部材をスライドすることによって外部器機接続端子口の開閉が行われるものであり、前記外部器機接続端子口が開いた状態においても器機本体の外部に突出するようなことがなく、従来のごとき問題を生じるようなことはないものである。
【発明を実施するための最良の形態】
【００１１】  図１に示すように、本発明の実施形態に係る携帯情報通信器機の例として携帯電話１は、前述した従来の携帯電話と同様に、各種の操作スイッチを有する操作部を備えた本体ケース（器機本体）３を備えており、この本体ケースには、表示部７を備えたサブ本体ケース（器機本体）９がヒンジ部５を介して開閉自在に備えられている。【００１２】  そして、前記本体ケース３やサブ本体ケース９の複数箇所には、外部接続器機（図示省略）と接続する外部器機接続端子の外部器機接続端子口１１が設けてあり、この外部器機接続端子口１１の部分には、この外部器機接続端子口１１を開閉自在の、柔軟な樹脂製の蓋部材１３がスライド自在に設けられているとともに、前記蓋部材１３が閉じているか否かを検出するためのセンサ１５が設けられている。【００１３】  すなわち、図１に示すように、前記外部器機接続端子口１１に隣接して、前記本体ケース３やサブ本体ケース９には、前記蓋部材１３をスライド方向に案内するガイド溝１７が形成してあり、このガイド溝１７内に前記蓋部材１３のスライド部１３Ａがスライド自在に係合してある。そして、前記ガイド溝１７叉は前記スライド部１３Ａの適宜一方には、図２に示すように、前記スライド部１３Ａのスライド方向（図２においては紙面に垂直な方向）に並行な凹凸を呈するガイドラインとして微小な突条１９が形成してある。【００１４】  前記突条１９を設ける位置は相対的なものであって、図２に示すように、ガイド溝１７側に形成しても良く、叉は蓋部材１３おけるスライド部１３Ａ側に設けても良いものである。そして、前記蓋部材１３のスライド操作を容易に行い得るように、前記蓋部材１３の表面には指を掛ける凹部叉は凸部を形成すること、あるいはザラザラした表面に形成することが望ましいものである。【００１５】  さらに、蓋部材１３を閉じたときには閉じた状態を保持するようにロック機構が設けてある。上記ロック機構としては、前記ガイド溝１７叉はスライド部１３Ａの一方に小さな凹部を形成し、この凹部に対して係合離脱自在の凸部を前記スライド部１３Ａ叉は前記ガイド溝１７の他方に設けることが望ましいものである。【００１６】  したがって、前記構成により、ガイド溝１７に沿って蓋部材１３のスライド部１３Ａをスライドすることにより、前記外部器機接続端子口１１が開閉される。このように蓋部材１３の開閉を行うとき、前記ガイド溝１７に設けたスライド方向の微小な突条１９に蓋部材１３のスライド部１３Ａが接触してスライドするので摩擦抵抗が少なくなり、蓋部材１３のスライドを円滑に行うことができるものである。そして、蓋部材１３が閉じた状態においては、ロック機構として前記ガイド溝１７側叉は蓋部材１３側の一方に設けた凹部と他方に設けた凸部とが係合して、閉じた状態を維持できるものである。【００１７】  前記センサ１５は、例えば前記操作部に備えた各種の操作スイッチと同様の構成を採用可能である。すなわち、図３に示すように、固定電極２１Ａと可動電極２１Ｂとを微小間隙を保持して対向した構成とし、前記可動電極２１Ｂが蓋部材１３の一部によって押されたときに、前記固定電極２１Ａと可動電極２１Ｂとが接触することにより、蓋部材１３が閉じてい���ものとして検出することができるものである。【００１８】  前記センサ１５の構成としては、前述したごとき構成に限ることなく、例えば蓋部材１３自体に可動電極を備えた構成とすることや、前記ガイド溝１７と蓋部材１３との間に可変抵抗を配置し、この可変抵抗の変化を検知して蓋部材１３の開閉を検知する構成とすることもできる。すなわち、前記センサ１５の構成としては種々の構成のセンサを採用することができるものである。【００１９】  上述のごとく、蓋部材１３の開閉を検知するセンサ１５を設けたものであるから、蓋部材１３の閉じ忘れや閉じ方が不十分な状態を生じた場合に、前記表示部７に表示したり、警報音を発することによって使用者に閉じ忘れや閉じ方が不十分な状態を報知することができるものである。【００２０】  前記蓋部材１３の閉じ忘れや閉じ方が不十分な状態を生じたことは、携帯情報通信器機に備えたＣＰＵ（図示省略）において、センサ１５が例えばＯＦＦの外部器機接続端子口１１に外部接続器機が接続してあるか否かを判別し（この判別は、前記外部器機接続端子口１１において電力叉は情報の出入があるか否かを判別することにより容易に判別することができる）、外部接続器機が接続していない場合には、蓋部材１３の閉じ忘れや閉じ方が不十分な状態として判別でき、直ちに叉は適宜時間（数秒後に設定が望ましい）経過後に、蓋部材１３が閉じていないことを報知する構成とすることができる。【００２１】  したがって、上記報知があったときに、使用者は蓋部材１３の開閉を確認することにより閉じ忘れや閉じ方が不十分な状態を防止することができるものである。【００２２】  ところで、前記外部器機接続端子口１１の開閉を行う前記蓋部材１３のスライド方向は任意の方向とすることができるものであり、例えば図４に示すように、ヒンジ２３を介して蓋部材１３を、本体ケース３の表面側へ突出するように、回動するようにスライドする構成とすることも可能である。【００２３】  この場合には、サブ本体ケース９を閉じるときに、突出した状態にある蓋部材１３が閉じられることになり、蓋部材１３の閉じ忘れや閉じ方が不十分な状態を生じることは少ないものである。したがって、上記構成の場合にはセンサ１５を省略することができる。なお、前述のいかなる構成のスライド自在の蓋部材１３をそなえた構成においても、センサ１５は省略することができる。【００２４】  以上説明したように、外部器機接続端子口１１を開閉自在の蓋部材１３をスライド自在に備えた構成であることにより、開閉が容易であると共に、仮に閉じ忘れや閉じ方が不十分な状態を生じた場合であっても器機本体（本体ケース）３やサブ器機本体（サブ本体ケース）９から蓋部材１３が突出した形態となるようなことがなく、蓋部材１３に引っ掛かりを生じて千切れるようなことはないものである。【００２５】  また、蓋部材１３の開閉を検出するセンサ１５を設けることにより、蓋部材１３の閉じ忘れや閉じ方が不十分な状態を検知して報知することができるので、蓋部材１３の閉じ忘れや閉じ方が不十分な状態を防止することができるものである。【００２６】  本発明において、上述の説明の一例として本体ケース３とサブ本体ケース９がヒンジ部を介して接���された、いわゆる折り畳み式の携帯電話機を例にしたが、ヒンジを使用しない操作部と表示部が一体型の携帯電話機やＰＨＳも含むものである。【００２７】  さらにこの発明は、次ぎのように変形して実施することをも含むものである。
スライド自在の蓋部材１３が、蓋部材１３を使用せず本体ケース３やサブ本体ケース９から露呈している電源充電用端子２１に重なった場合、前記蓋部材１３の適所に穴や加工部を設け、スライド自在の蓋部材１３が閉じた状態でも、前記電源充電用端子２１が外部に露呈して、使用できるようにして構成することができる。
【図面の簡単な説明】
【００２８】
【図１】  本発明の実施形態に係る携帯情報通信器機としての折り畳み式携帯電話機の斜視図である。
【図２】  蓋部材におけるスライド部の断面説明図である。
【図３】  センサの構成を示す説明図である。
【図４】  蓋部材のスライドの別形態を示す斜視図である。
【図５】  従来の折り畳み式携帯電話機の斜視説明図である。
【符号の説明】
【００２９】１          携帯電話機（携帯情報通信器機）
３          本体ケース（器機本体）
７          表示部
９          サブ本体ケース（器機本体）
１１        外部器機接続端子口
１３        蓋部材
１５        センサ
１７        ガイド溝
１９        突条（ガイドライン）
２１Ａ      固定電極
２１Ｂ      可動電極
２５        充電用端子
【図１】
2005072545.tif 000003
【図２】
2005072545.tif 000004
【図３】
2005072545.tif 000005
【図４】
2005072545.tif 000006
【図５】
2005072545.tif 000007